【手続補正書】
【提出日】令和3年4月26日(2021.4.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ポーラ符号を使用する符号化のための、ユーザ機器(UE)のための制御シグナリングに関連付けられた複数の制御情報フィールドを識別するステップであって、前記複数の制御情報フィールドが、第1の優先度を有する第1のフィールドと、前記第1の優先度よりも低い第2の優先度を有する第2のフィールドとを備える、ステップと、
少なくとも前記第1のフィールドの関数としての第1の部分的検査値と、少なくとも前記第1のフィールドおよび前記第2のフィールドの関数としての複合検査値とを決定するステップと、
前記複数の制御情報フィールド、前記第1の部分的検査値、および前記複合検査値に基づいて、情報ベクトルを生成するステップと、
前記情報ベクトルのビットを、前記ポーラ符号のための復号順序に少なくとも部分的に基づいて、前記ポーラ符号のそれぞれのポーラチャネルインデックスに割り当てるステップであって、前記第1の部分的検査値が、前記復号順序に従って、前記第1のフィールドのビットと前記第2のフィールドのビットとの間で、ポーラチャネルインデックスのセットに割り当てられる、ステップと、
前記復号順序に従って復号されるべきコードワードを生成するために、前記それぞれのポーラチャネルインデックスに少なくとも部分的に基づいて、前記情報ベクトルを符号化するステップと、
制御チャネル送信において、前記UEに前記コードワードを送信するステップと
を含む方法。
【請求項２】
少なくとも前記第2のフィールドの関数としての第2の部分的検査値を生成するステップであって、前記第2の部分的検査値が、前記第2のフィールドのビットと前記複合検査値のビットとの間で、第2のポーラチャネルインデックスのセットに割り当てられる、ステップ
をさらに含む、請求項1に記載の方法。
【請求項３】
物理ダウンリンク制御チャネル(PDCCH)メッセージを介して、前記UEに前記コードワードを送信するステップ
をさらに含む、請求項1に記載の方法。
【請求項４】
前記PDCCHメッセージに応答して、前記第1のフィールドによって示された情報に少なくとも部分的に基づいて送信された、前記UEからの復調基準信号(DMRS)を受信するステップであって、前記DMRSが、前記コードワードの送信後、あらかじめ決定された時間間隔内に受信される、ステップ
をさらに含む、請求項3に記載の方法。
【請求項５】
少なくとも前記複数の制御情報フィールドのうちの第3のフィールドを備える、第2の情報ベクトルを生成するステップであって、前記情報ベクトルが、前記第2の情報ベクトルのための指示を備える、ステップと、
第2のコードワードを生成するために、前記第2の情報ベクトルを符号化するステップであって、前記送信するステップが、前記制御チャネル送信において、前記UEに前記第2のコードワードを送信するステップを含む、ステップと
をさらに含む、請求項1に記載の方法。
【請求項６】
前記制御シグナリングに関連付けられたレイテンシしきい値に少なくとも部分的に基づいて、前記複数の制御情報フィールドを、第1のサイズの複数のコードワードに符号化するために複数の情報ベクトルに分割するか、前記複数の制御情報フィールドを、第2のサイズの単一のコードワードに符号化するために単一の情報ベクトルに統合するかを決定するステップであって、前記第2のサイズが前記第1のサイズよりも大きい、ステップ
をさらに含む、請求項1に記載の方法。
【請求項７】
ワイヤレス通信のための方法であって、
ユーザ機器(UE)において、ポーラ符号を使用して符号化されたコードワードを受信するステップであって、前記コードワードが、第1の優先度を有する第1のフィールド、および前記第1の優先度よりも低い第2の優先度を有する第2のフィールドを含む、複数の制御情報フィールドと、少なくとも前記第1のフィールドの関数として決定された第1の部分的検査値と、少なくとも前記第1のフィールドおよび前記第2のフィールドの関数として決定された複合検査値とを備える情報ベクトルに少なくとも部分的に基づいて生成される、ステップと、
前記ポーラ符号のビットチャネルインデックスの順序で、前記コードワードに対して逐次リスト復号動作を実行するステップであって、前記逐次リスト復号動作を実行するステップが、
複数のリスト復号パスについて、少なくとも前記第1のフィールドを備える前記情報ベクトルの第1のそれぞれの部分的表現に対して、前記第1の部分的検査値を使用して、誤り検査プロセスを実行するステップと、
前記誤り検査プロセスに合格する前記情報ベクトルの第1のそれぞれの部分的表現を有する、前記複数のリスト復号パスのうちの復号パスに少なくとも部分的に基づいて、前記UEに関連付けられた送信のための制御情報パラメータを決定するステップと
を含む、ステップと、
前記コードワードに対する前記逐次リスト復号動作の完了より前に、前記送信のための前記制御情報パラメータを暫定的に適用するステップと
を含む方法。
【請求項８】
前記逐次リスト復号動作を実行するステップが、
前記複数のリスト復号パスについて、第2の部分的検査値を使用して、前記複数のリスト復号パスのための前記情報ベクトルの第2のそれぞれの部分的表現に対して、第2の誤り検査プロセスを実行するステップであって、前記情報ベクトルの前記第2のそれぞれの部分的表現が、前記ポーラ符号の前記ビットチャネルインデックスの順序に従って、前記情報ベクトルの前記第1のそれぞれの部分的表現に後続する、ステップ
を含む、請求項7に記載の方法。
【請求項９】
前記復号パスについての前記第2の誤り検査プロセスの失敗に少なくとも部分的に基づいて、前記送信のための前記制御情報パラメータの前記暫定的な適用を無効にするステップ
をさらに含む、請求項8に記載の方法。
【請求項１０】
前記コードワードに対する前記逐次リスト復号動作の完了より前に、前記復号パスについての前記第2の誤り検査プロセスの失敗に少なくとも部分的に基づいて、前記逐次リスト復号動作を終了させるステップ、または
前記コードワードに対する前記逐次リスト復号動作の完了より前に、前記複数のリスト復号パスのすべてについての前記第2の誤り検査プロセスの失敗に少なくとも部分的に基づいて、前記逐次リスト復号動作を終了させるステップ
をさらに含む、請求項8に記載の方法。
【請求項１１】
前記逐次リスト復号動作の完了より前に、前記制御情報パラメータに少なくとも部分的に基づいて、前記送信のためのモデム構成を開始するステップであって、前記モデム構成が、前記複数の制御情報フィールドの受信に応答して、前記UEによって送信された復調基準信号(DMRS)に関連付けられ、前記DMRSが、前記複数の制御情報フィールドを受信した後、あらかじめ決定された時間間隔内で送信されることになる、ステップ
をさらに含む、請求項7に記載の方法。
【請求項１２】
前記ポーラ符号を使用して符号化された第2のコードワードを受信するステップであって、前記第2のコードワードが、前記複数の制御情報フィールドのうちの少なくとも1つを備える第2の情報ベクトルに少なくとも部分的に基づいて生成される、ステップと、
前記複数の制御情報フィールドのうちの前記少なくとも1つを取得するために、前記第2のコードワードに対して、第2の逐次リスト復号動作を実行するステップと
をさらに含む、請求項7に記載の方法。
【請求項１３】
ワイヤレス通信のための装置であって、
ポーラ符号を使用する符号化のための、ユーザ機器(UE)のための制御シグナリングに関連付けられた複数の制御情報フィールドを識別するための手段であって、前記複数の制御情報フィールドが、第1の優先度を有する第1のフィールドと、前記第1の優先度よりも低い第2の優先度を有する第2のフィールドとを備える、手段と、
少なくとも前記第1のフィールドの関数としての第1の部分的検査値と、少なくとも前記第1のフィールドおよび前記第2のフィールドの関数としての複合検査値とを決定するための手段と、
前記複数の制御情報フィールド、前記第1の部分的検査値、および前記複合検査値に基づいて、情報ベクトルを生成するための手段と、
前記情報ベクトルのビットを、前記ポーラ符号のための復号順序に少なくとも部分的に基づいて、前記ポーラ符号のそれぞれのポーラチャネルインデックスに割り当てるための手段であって、前記第1の部分的検査値が、前記復号順序に従って、前記第1のフィールドのビットと前記第2のフィールドのビットとの間で、ポーラチャネルインデックスのセットに割り当てられる、手段と、
前記復号順序に従って復号されるべきコードワードを生成するために、前記それぞれのポーラチャネルインデックスに少なくとも部分的に基づいて、前記情報ベクトルを符号化するための手段と、
制御チャネル送信において、前記UEに前記コードワードを送信するための手段と
を備える装置。
【請求項１４】
ワイヤレス通信のための装置であって、
ユーザ機器(UE)において、ポーラ符号を使用して符号化されたコードワードを受信するための手段であって、前記コードワードが、第1の優先度を有する第1のフィールド、および前記第1の優先度よりも低い第2の優先度を有する第2のフィールドを含む、複数の制御情報フィールドと、少なくとも前記第1のフィールドの関数として決定された第1の部分的検査値と、少なくとも前記第1のフィールドおよび前記第2のフィールドの関数として決定された複合検査値とを備える、情報ベクトルに少なくとも部分的に基づいて生成される、手段と、
前記ポーラ符号のビットチャネルインデックスの順序で、前記コードワードに対して逐次リスト復号動作を実行するための手段であって、前記逐次リスト復号動作を実行するための前記手段が、
複数のリスト復号パスについて、少なくとも前記第1のフィールドを備える前記情報ベクトルの第1のそれぞれの部分的表現に対して、前記第1の部分的検査値を使用して、誤り検査プロセスを実行するための手段と、
前記誤り検査プロセスに合格する前記情報ベクトルの第1のそれぞれの部分的表現を有する、前記複数のリスト復号パスのうちの復号パスに少なくとも部分的に基づいて、前記UEに関連付けられた送信のための制御情報パラメータを決定するための手段と
を備える、手段と、
前記コードワードに対する前記逐次リスト復号動作の完了より前に、前記送信のための前記制御情報パラメータを暫定的に適用するための手段と
を備える装置。
【請求項１５】
ワイヤレス通信のためのコードを記憶するコンピュータ可読記録媒体であって、前記コードは、実行されたときに、コンピュータに請求項1から6および請求項7から12のうちのいずれか一項に記載の方法を実行させる、コンピュータ可読記録媒体。